(57)【要約】【課題】  従来よりも洗浄ノズルの着脱作業の作業性を向上した衛生洗浄装置を提供することを課題とする。【解決手段】  使用者の局部を洗浄する衛生洗浄装置であって、局部を洗浄する洗浄ノズルと、洗浄ノズルを支持する支持部材と、を有する。洗浄ノズルには、挟持部と、挟持部に挟まれる被挟持部の内の一方が組み付けられ、支持部材には、挟持部と、被挟持部の内の他方が組み付けられ、挟持部は、第一挟持部及び第二挟持部を備え、第一挟持部と第二挟持部とで被挟持部を挟み込み、第一挟持部と第二挟持部とが着脱自在である。【選択図】  図３
2017172200.tif 000002
【特許請求の範囲】
【請求項１】
使用者の局部を洗浄する衛生洗浄装置であって、
前記局部を洗浄する洗浄ノズルと、
前記洗浄ノズルを支持する支持部材と、
を有し、
前記洗浄ノズルには、挟持部と、前記挟持部に挟まれる被挟持部の内の一方が組み付けられ、前記支持部材には、前記挟持部と、前記被挟持部の内の他方が組み付けられ、
前記挟持部は、第一挟持部及び第二挟持部を備え、前記第一挟持部と前記第二挟持部とで前記被挟持部を挟み込み、
前記第一挟持部と前記第二挟持部とが着脱自在である、
衛生洗浄装置。
【請求項２】
請求項１に記載の衛生洗浄装置であって、
前記第一挟持部の一端側には第一嵌合部を有し、前記第一挟持部の他端側には第二嵌合部を有し、前記第二挟持部の一端側には前記第一嵌合部と嵌め合わされる第三嵌合部を有し、前記第二挟持部の他端側には前記第二嵌合部と嵌め合わされる第四嵌合部を有する、
衛生洗浄装置。
【請求項３】
請求項１又は２に記載の衛生洗浄装置であって、
前記洗浄ノズルには、前記被挟持部が組み付けられ、
前記支持部材には、前記挟持部が組み付けられ、
前記被挟持部は、前記洗浄ノズルを駆動するモータに備えられた駆動ギアと噛み合う従動ギアが形成されたラック部を備える、
衛生洗浄装置。
【発明の詳細な説明】
【技術分野】
【０００１】
本発明は、人体局部を洗浄する衛生洗浄装置に関する。
【背景技術】
【０００２】
従来から、衛生洗浄装置として、洗浄ノズルから洗浄水を噴出することで人体の局部を洗浄する人体局部洗浄装置が知られている。例えば、特許文献１の人体局部洗浄装置は、人体局部を洗浄するために洗浄水を噴出する噴出口を備えたノズルロッドを収容したシリンダすなわち洗浄ノズルと、この洗浄ノズルを支持するケースすなわち支持部材と、この支持部材に設けられた溝部に対して摺動可能に係合されて洗浄ノズルに配設されるガイド部と、洗浄ノズルのシリンダに形成されており、モータによって駆動された歯車と噛み合うラックと、を有する。そして、この人体局部洗浄装置の洗浄ノズルは、溝部に沿った方向に移動する。
【先行技術文献】
【特許文献】
【０００３】
【特許文献１】特開平１１−２５６６５８号公報
【発明の概要】
【０００４】
（発明が解決しようとする課題）
このような衛生洗浄装置において、洗浄ノズルの交換等のメンテナンスをしたりする場合などがある。しかし、特許文献１の人体局部洗浄装置は、支持部材であるケースに設けられた溝部に対して洗浄ノズルのガイド部が嵌められており、洗浄ノズルを支持部材から着脱するためには大掛かりな分解作業や組み付け作業が必要であり、洗浄ノズルを支持部材から着脱する着脱作業の作業性の低下を引き起こすおそれがある。
【０００５】
そこで、本発明は、従来よりも洗浄ノズルの着脱作業の作業性を向上した衛生洗浄装置を提供することを課題とする。
（課題を解決するための手段）
本発明の衛生洗浄装置は、使用者の局部を洗浄する衛生洗浄装置であって、局部を洗浄する洗浄ノズルと、洗浄ノズルを支持する支持部材と、を有し、洗浄ノズルには、挟持部と、挟持部に挟まれる被挟持部の内の一方が組み付けられ、支持部材には、挟持部と、被挟持部の内の他方が組み付けられ、挟持部は、第一挟持部及び第二挟持部を備え、第一挟持部と第二挟持部とで被挟持部を挟み込み、第一挟持部と第二挟持部とが着脱自在である。
【０００６】
本発明に係る衛生洗浄装置によれば、例えば、洗浄ノズルに被挟持部材が組み付けられ、支持部材に第一挟持部及び第二挟持部を備えた挟持部材が組み付けられた構成である場合、被挟持部を第一挟持部材と第二挟持部材とで挟み込むという簡素な構成で支持部材が洗浄ノズルを支持することができる。また、第一挟持部と第二挟持部とが着脱自在であるため、第一挟持部材と第二挟持部材による被挟持部材の挟み込みと、第一挟持部と第二挟持部で挟み込まれた被挟持部の取外し、を容易に行うことができる。したがって、支持部材への洗浄ノズルの取り付け及び取り外しが容易にできる。これにより、洗浄ノズルの着脱作業の作業性を向上させることができる。
【０００７】
さらに、本発明の衛生洗浄装置は、第一挟持部の一端側には第一嵌合部を有し、第一挟持部の他端側には第二嵌合部を有し、第二挟持部の一端側には第一嵌合部と嵌め合わされる第三嵌合部を有し、第二挟持部の他端側には第二嵌合部と嵌め合わされる第四嵌合部を有するのがよい。これによれば、第一挟持部の第一嵌合部と第二挟持部の第三嵌合部とを嵌め合わせ、第一挟持部の第二嵌合部と第二挟持部の第四嵌合部とを嵌め合わせるという簡素な構成で被挟持部を挟み込むことで洗浄ノズルを支持部材に支持することができる。また、第一挟持部の第一嵌合部と第二挟持部の第三嵌合部との嵌め合いを解除し、第一挟持部の第二嵌合部と第二挟持部の第四嵌合部とを嵌め合いを解除するという容易な作業で洗浄ノズルを支持部材から着脱できる。これにより、洗浄ノズルの支持部材へ着脱作業の作業性をより向上させることができる。
【０００８】
さらに、本発明の衛生洗浄装置は、洗浄ノズルには、被挟持部が組み付けられ、支持部材には、挟持部が組み付けられ、被挟持部は、洗浄ノズルを駆動するモータに備えられた駆動ギアと噛み合う従動ギアが形成されたラック部を備えるのがよい。これによれば、洗浄ノズルに挟持部、支持部材に被挟持部が組み付けられることでより着脱作業が容易になる。また、被挟持部がラック部を備えることで、被挟持部とラック部とを一体的に形成することができ、部品点数の増加を抑制することができる。
【図面の簡単な説明】
【０００９】
【図１】実施形態において、衛生洗浄装置の外観の概略を示す斜視図である。
【図２】衛生洗浄装置の内部構成の概略を示す斜視図である。
【図３】第一の実施形態に係る洗浄ノズル、洗浄ノズル支持部材及び挟持部の概略を示す斜視図である。
【図４】（ａ）図３の第一の洗浄ノズルシリンダの上面視図である。（ｂ）図３の第一の洗浄ノズルシリンダの左面視図である。（ｃ）図３の第一の洗浄ノズルシリンダの前面視図である。
【図５】（ａ）図３の洗浄ノズル支持部材の上面視図である。（ｂ）図３の洗浄ノズル支持部材の左面視図である。（ｃ）図３の洗浄ノズル支持部材の前面視図である。
【図６】（ａ）図３の第一挟持部と第二挟持部とを模式的に示す斜視図である。（ｂ）挟持部の第一嵌合部に挟持部の第三嵌合部の一部を挿し入れた状態を模式的に示す斜視図である。（ｃ）挟持部の第一嵌合部と挟持部の第三嵌合部、挟持部の第二嵌合部と挟持部の第四嵌合部、がそれぞれ嵌め合わされる前の状態を模式的に示す斜視図である。（ｄ）挟持部の第一嵌合部と挟持部の第三嵌合部、挟持部の第二嵌合部と挟持部の第四嵌合部、がそれぞれ嵌め合わされた状態を模式的に示す斜視図である。
【図７】挟持部に駆動装置が取り付けられた状態を示す模式図の上面視図である。
【図８】第二の実施形態に係る洗浄ノズル、洗浄ノズル支持部材及び挟持部の概略を示す斜視図である。
【図９】（ａ）図８の第二の洗浄ノズルシリンダの上面視図である。（ｂ）図８の第二の洗浄ノズルシリンダの左面視図である。（ｃ）図８の第二の洗浄ノズルシリンダの前面視図である。
【発明を実施するための形態】
【００１０】
（第一の実施形態）
以下、本発明に係る衛生洗浄装置の第一の実施形態について、図を参照して説明する。なお、本実施形態における方向は、各図に示すとおりである。
【００１１】
図１に示すように、第一の実施形態の衛生洗浄装置１は、床面に固定された陶製の洋式の便器２の上面に設置され、使用者の局部を温水で洗浄するものである。衛生洗浄装置１は、便器２の上面後方の縁部分において、便器２と連結される。衛生洗浄装置１は、使用者が用便するときに着座する便座３、用便した後に便座３に被せる便蓋４、後述する各装置等とこれらの各装置等を収容するケーシング５によって構成される本体部６、を備える。ケーシング５は、樹脂製であり、ケーシング５の下側部分の部材であるベースプレート７及び上側部分の部材であるカバープレート８で構成される。また、衛生洗浄装置１は、衛生洗浄装置１の各種設定を操作する操作部を備えても良い。
【００１２】
便座３は、使用者が着座するものであり、樹脂製である。便座３の内部には、便座３を暖めるヒータが設けられる。便座３は、本体部６に対して上下方向に回動可能となるように連結される。また、便蓋４は、用便した後に便座３に被せる蓋であって、樹脂製である。便蓋４は、本体部６に対して上下方向に回動可能となるように連結される。
【００１３】
図２は、本体部６の内部の構成を模式的に示した図である。本体部６は、止水弁装置、水圧調整装置、加熱装置、流量調整装置、流路切替装置、洗浄ノズル９（洗浄ノズル）、洗浄ノズル支持部材１０、駆動装置１１、駆動装置支持部材１２及び狭持部支持部材３９（図６中）を備える。本体部６は、制御装置を備えており、この制御装置は衛生洗浄装置１の動作を制御する。
【００１４】
止水弁装置は、給水源及び水圧調整装置と接続される。止水弁装置は、内部に弁を備えており、この弁が制御装置によって開状態にされたときに給水源と水圧調整装置とが連通して給水源から水圧調整装置へ水が供給される。また、弁が閉状態にされたときに給水源と水圧調整装置との連通が遮断されて給水源から水圧調整装置への水の供給が遮断される。
【００１５】
水圧調整装置は、加熱装置と接続され、止水弁装置から水圧調整装置に供給された水を所定の水圧に調整する。このようにして水圧が調整された水が加熱装置へ供給される。
【００１６】
加熱装置は、流量調整装置と接続される。加熱装置は、供給された水を加熱して温水を生成するヒータとしてシースヒータ又はセラミックヒータ、加熱装置内の水温を計測する温度センサとしてサーミスタを備える。このサーミスタで検出された水温情報に基づいて、制御装置はヒータの動作を制御する。このようにして、加熱装置は加熱装置に供給された水を所定の温度に加熱する。そして、加熱装置で加熱された水は、温水となって流量調整装置へ供給される。
【００１７】
流量調整装置は、流路切替装置と接続される。流量調整装置は、内部を流れる温水の流量を調整して、温水を流路切替装置へ供給する。
【００１８】
流路切替装置は、温水を排出する第一の排出口（図示せず）と第二の排出口（図示せず）の二つの排出口を備える。流路切替装置は、流路切替装置の内部において、流量調整装置及び第一の排出口を連通する流路と、流量調整装置及び第二の排出口を連通する流路と、を切り替る。この流路の切替は、制御装置によって制御されており、必要に応じて流路を切り替える。第一の実施形態の衛生洗浄装置１は、洗浄ノズル９として、第一の形態を採る洗浄ノズル１３（第一の洗浄ノズル）である後述するお尻用洗浄ノズル１４のみを備える構成であり、流路切替装置の第一の排出口は、お尻用洗浄ノズル１４に設けられた後述する第一の給水口１５と接続される。一方、流路切替装置の第二の排出口は、第一の実施形態においては使用されないため塞がれている。従って、第一の実施形態では、流量調整装置と流路切替装置の第一の排出口が常時連通される構成となっている。
【００１９】
図３に示すように、第一の実施形態における洗浄ノズル９は、使用者のお尻を洗浄するお尻用洗浄ノズル１４を備える。お尻用洗浄ノズル１４は、第一の洗浄ノズルシリンダ１６及び第一のノズル１７を備える。第一の洗浄ノズルシリンダ１６は中空筒状である。また、第一の洗浄ノズルシリンダ１６の前端部は開口されており、第一の洗浄ノズルシリンダ１６の後端部は閉口されている。第一の洗浄ノズルシリンダ１６の後端部には温水が供給される第一の給水口１５が設けられる。
【００２０】
また、図４に示すように、第一の洗浄ノズルシリンダ１６の外周面における上端部には、第一凸部１８及び第二凸部１９が形成され、下端部には、第三凸部２０及び第四凸部２１が形成される。
【００２１】
図３の第一のノズル１７は、中空筒状である。第一のノズル１７の後端部は開口されており、第一のノズル１７の前端部は閉口されている。第一のノズル１７の前方上部には、第一の吐出口２２が形成される。そして、第一の洗浄ノズルシリンダ１６の前端部の開口部分の形状と第一のノズル１７の後端部分の形状は略同一であり、第一の洗浄ノズルシリンダ１６の開口部分に第一のノズル１７の開口側から第一のノズル１７が収容される。このように構成された第一の実施形態のお尻用洗浄ノズル１４は、第一の給水口１５から温水を供給されて、第一の吐出口２２から温水を吐出する。また、第一の洗浄ノズルシリンダ１６内の温水による水圧及び内部に配設されたバネによって公知の作動方法によって第一のノズル１７が第一の洗浄ノズルシリンダ１６に対して前後に移動可能な構成となっている。
【００２２】
図５に示すように、洗浄ノズル９であるお尻用洗浄ノズル１４を支持する洗浄ノズル支持部材１０は、樹脂で形成される。洗浄ノズル支持部材１０は、ノズル支持部２３及び被挟持部２４（被挟持部）を備える。ノズル支持部２３と被挟持部２４は連結部２５を介して一体的に形成されている。なお、ノズル支持部２３と被挟持部２４は連結部２５を介さず直接一体的に形成される形状であっても良い。
【００２３】
ノズル支持部２３は、延在方向に垂直な方向での断面が右側に開口する略半円状を呈しており、第一の洗浄ノズルシリンダ１６の外周面の左側部分が嵌め込まれる形状となっている。また、ノズル支持部２３の内周面の上側部分及び内周面の下側部分には、第一凸部１８に対応した位置に第一凹部２６、第二凸部１９に対応した位置に第二凹部２７、第三凸部２０に対応した位置に第三凹部２８及び第四凸部２１に対応した位置に第四凹部２９が形成されている。そして、それぞれに対応した凸部と凹部とが嵌め合わされることで第一の洗浄ノズルシリンダ１６が、ノズル支持部２３に支持される、すなわちお尻用洗浄ノズル１４が洗浄ノズル支持部材１０に支持される。このとき、ノズル支持部２３に切り込み部３０がノズル支持部２３に形成されていると良い。この切り込み部３０により、ノズル支持部２３が弾性変形しやすくなり、洗浄ノズル支持部１０への第一の洗浄ノズルシリンダ１６の嵌め込みがより容易になる。
【００２４】
第一の実施形態においては、洗浄ノズル９であるお尻用洗浄ノズル１４の第一の洗浄ノズルシリンダ１６に凸部が形成されて、洗浄ノズル支持部材１０に凹部が形成されているが、第一の洗浄ノズルシリンダ１６に凹部が形成されて、凸部が洗浄ノズル支持部材１０に形成されていても良い。
【００２５】
被挟持部２４は、ラック部３１（ラック部）、第一被挟持部３２及び第二被挟持部３３を備える。ラック部３１の左側面（図５中右側の面）には、駆動装置１１に設けられた後述する駆動ギア３４（駆動ギア）と噛み合う従動ギア３５（従動ギア）が形成される。
【００２６】
第一被挟持部３２は、ラック部３１の下側部分に形成される。また、第二被挟持部３３はラック部３１の上側部分に形成される。第一被挟持部３２及び第二被挟持部３３は、従動ギア３５が形成されておらず、後述する挟持部３６（挟持部）に挟み込まれる部分である。
【００２７】
図６に示すように、挟持部３６は、第一挟持部３７（第一挟持部）及び第二挟持部３８（第二挟持部）を備える。第一の実施形態においては、挟持部３６を支持する挟持部支持部３９（支持部材）と第一挟持部３７とが一体的に形成されているが、別体として構成されていても良い。挟持部支持部３９は、ベースプレート７に固定される。
【００２８】
第一挟持部３７は、棒状であり、前後方向に延在される。第一挟持部３７の一端側（第一の実施形態においては前方端側）には挟持部の第一嵌合部４０（第一嵌合部）が形成され、第一挟持部３７の他端側（第一の実施形態においては後方端側）には挟持部の第二嵌合部４１（第二嵌合部）が形成される。挟持部の第一嵌合部４０及び挟持部の第二嵌合部４１との間には、第一被挟持部３２が配設される第一溝部４２が前後方向にスリット状に形成される。第一溝部４２の長さは、第一被挟持部３２の長さよりも長い。
【００２９】
第二挟持部３８は、棒状であり、前後方向に延在される。第二挟持部３８の一端側（第一の実施形態においては前方端側）には、挟持部の第一嵌合部４０と嵌め合わされる挟持部の第三嵌合部４３（第三嵌合部）が形成される。第二挟持部３８の他端側（第一の実施形態においては後方端）には、挟持部の第二嵌合部４１と嵌め合わされる挟持部の第四嵌合部４４（第四嵌合部）が形成される。挟持部の第三嵌合部４３及び挟持部の第四嵌合部４４との間には、第二被挟持部３３が配設される第二溝部４５が前後方向にスリット状に形成される。第二溝部４５の長さは、第二被挟持部３３の長さよりも長い。また、第二挟持部３８の中央部分には、切り欠き部４６が設けられる。この切り欠き部４６を設けることにより、駆動ギア３４と第二挟持部３８との干渉を抑制できるため、組み付け作業をより容易とすることができる。
【００３０】
図３及び図７に示すように、駆動装置１１は、モータ４７（モータ）、モータ４７の駆動軸に設けられる駆動ギア３４を備える。モータ４７は、制御装置と電気的に接続されており、制御装置から電力が供給されることにより駆動軸を回転させる。また、制御装置は、モータ４７の駆動軸の回転方向や回転速度を制御する。
【００３１】
駆動装置支持部材１２は、モータ４７の外殻であるモータハウジングを支持し、挟持部支持部３９に固定される。駆動装置支持部材１２には、取付孔が設けられており、この取付孔にねじが挿入されて挟持部支持部３９に設けられた取付ねじ孔に駆動装置支持部材１２がねじで固定される。
【００３２】
ここで、第一の実施形態における、お尻用洗浄ノズル１４、洗浄ノズル支持部材１０、挟持部３６及び駆動装置支持部材１２、等の組み付けの概要について図２〜図7を参照しながら説明する。ただし、図６は、図の簡略化のため、挟持部３６のみ図示している。また、組み付けの順序は、以下に説明する順序に限定されず、組み付け可能であれば順序を変更しても良い。
【００３３】
まず、図６（ａ）に示すように、第一挟持部３７の長手方向に対して第二挟持部３８の長手方向が交差するように、第一挟持部３７に第二挟持部３８を配置する。次いで、図６（ａ）の状態の挟持部３６を、図６（ｂ）に示すように、挟持部の第一嵌合部４０に挟持部の第三嵌合部４３の一部を挿し入れる。そして図５中のノズル支持部２３の開口した部分が図６において右側となるように、第一挟持部３７の第一溝部４２に被挟持部２４の第一被挟持部３２を配設する。
【００３４】
そして、挿し入れた挟持部の第三嵌合部４３、すなわち第二挟持部３８の前方端側を軸として第二挟持部３８の後方端側を下方向に下げる。これにより、第二挟持部３８の前方端側を軸として第一挟持部３７に対し第二挟持部３８が回転し、第二挟持部３８の第二溝部４５に被挟持部２４の第二被挟持部３３が配設される。すなわち、第一挟持部３７及び第二挟持部３８は、図６（ｃ）に示す状態となり、第一挟持部３７及び第二挟持部３８の間に被挟持部２４が配設された状態となる。
【００３５】
次に、図６（ｃ）の状態から第二挟持部３８を前方向へ移動させて、挟持部の第一嵌合部４０と挟持部の第三嵌合部４３とを嵌合させ、挟持部の第二嵌合部４１が挟持部の第四嵌合部４４とを嵌合することで、図６（ｄ）に示す状態となる。図６（ｄ）の状態とすることで第一挟持部３７及び第二挟持部３８が被挟持部２４を挟み込んだ状態となる。このとき、被挟持部２４は、第一挟持部３７と第二挟持部３８との間で挟持部３６に対して前後方向に移動可能な状態となっている。このようにして、挟持部３６に洗浄ノズル支持部材１０が取り付けられる。
【００３６】
また、図６（ｄ）の状態から被挟持部２４を取り外すときは、第二挟持部３８を後方向へ移動させることにより、挟持部の第一嵌合部４０と挟持部の第三嵌合部４３との嵌合を外し、挟持部の第二嵌合部４１と挟持部の第四嵌合部４４との嵌合を外して図６（ｃ）の状態にする。そして、挟持部の第三嵌合部４３、すなわち第二挟持部３８の前方端側を軸として第二挟持部３８の後方端側を上方向に上げることで、図６（ｂ）の状態となり、第一挟持部３７及び第二挟持部３８による被挟持部２４の挟み込みが解除される。そして、挟持部３６から洗浄ノズル支持部材１０を取り外す。このように、第一挟持部３７と第二挟持部３８とが着脱自在となっている。
【００３７】
次に、洗浄ノズル支持部材１０が挟持部３６に取り付けられた後、挟持部支持部３９をベースプレート７にねじで固定する。そして、図７に示すように、切り欠き部４６において駆動ギア３４と従動ギア３５とが噛み合うように位置を合わせる。そして、モータ４７及び駆動ギア３４が組み付けられた駆動装置支持部材１２を図７の紙面に向かって上から下へと移動させ、挟持部支持部３９にねじで固定する。なお、第二挟持部３８に切り欠き部４６が設けられていることで、第一挟持部３７及び第二挟持部３８が被挟持部２４を挟み込んだ後であってもモータ４７及び駆動ギア３４が組み付けられた状態の駆動装置支持部材１２を容易に組み付けることができる。
【００３８】
そして、図４に示すお尻用洗浄ノズル１４の第一の洗浄ノズルシリンダ１６に設けられた第一凸部１８、第二凸部１９、第三凸部２０及び第四凸部２１がそれぞれ洗浄ノズル支持部材１０のノズル支持部２３に設けられた第一凹部２６、第二凹部２７、第三凹部２８及び第四凹部２９に嵌め合わされるように、洗浄ノズル支持部材１０の右側からお尻用洗浄ノズル１４を左方向へ押圧して洗浄ノズル支持部材１０の開口を広げるように洗浄ノズル支持部材１０を弾性変形させながら、ノズル支持部２３へお尻用洗浄ノズル１４を嵌め込む。このようにして、お尻用洗浄ノズル１４が洗浄ノズル支持部材１０に支持される。
【００３９】
また、洗浄ノズル支持部材１０に取り付けられたお尻用洗浄ノズル１４を取り外すときには、お尻用洗浄ノズル１４の第一凸部１８、第二凸部１９、第三凸部２０及び第四凸部２１を洗浄ノズル支持部材１０の第一凹部２６、第二凹部２７、第三凹部２８及び第四凹部２９から嵌合を外すようにして、洗浄ノズル支持部材１０の開口を広げるように洗浄ノズル支持部材１０を弾性変形させながら、お尻用洗浄ノズル１４を右方向へ移動させて洗浄ノズル支持部材１０からお尻用洗浄ノズル１４を取り外す。このように、お尻用洗浄ノズル１４が洗浄ノズル支持部材１０に対して着脱自在となっている。
【００４０】
このようにして組み付けられた衛生洗浄装置１は、制御装置によってモータ４７の駆動軸及び駆動ギア３４が回転させられるとともに、駆動ギア３４と噛み合う従動ギア３５に動力が伝達される。従動ギア３５は、駆動ギア３４の回転方向の運動を前後方向の運動へ変換する。これによって、お尻用洗浄ノズル１４を前後方向に移動させる。
【００４１】
このように、第一の実施形態において、洗浄ノズル９であるお尻用洗浄ノズル１４は、洗浄ノズル支持部材１０に対して着脱自在であるため、お尻用洗浄ノズル１４を洗浄ノズル支持部材１０に対して着脱するときに大掛かりな取外し、取付け作業が生じない。従って、お尻用洗浄ノズル１４を洗浄ノズル支持部材１０に対して容易に着脱することができ、お尻用洗浄ノズル１４の着脱作業の作業性を向上させることができる。
【００４２】
また、お尻用洗浄ノズル１４には第一凸部１８、第二凸部１９、第三凸部２０及び第四凸部２１が形成され、洗浄ノズル支持部材１０には第一凹部２６、第二凹部２７、第三凹部２８及び第四凹部２９が形成されているため、第一凸部１８、第二凸部１９、第三凸部２０及び第四凸部２１をそれぞれ第一凹部２６、第二凹部２７、第三凹部２８及び第四凹部２９へ嵌め合わせたり、嵌合を外したりという容易な作業によって、洗浄ノズル支持部材１０に対してお尻用洗浄ノズル１４を着脱することができる。従って、洗浄ノズル支持部材１０に対する洗浄ノズル９の着脱作業の作業性を向上させることができる。
【００４３】
また、第一凸部１８、第二凸部１９、第三凸部２０及び第四凸部２１は凸形状、第一凹部２６、第二凸凹部２７、第三凹部２８及び第四凹部２９は凹形状という簡素な形状あるため、成形が容易であり、製造時のコストアップを抑制することができる。
【００４４】
また、被挟持部２４を第一挟持部３７と第二挟持部３８に挟み込み、第一挟持部３７に設けられた挟持部の第一嵌合部４０と第二挟持部３８に設けられた挟持部の第三嵌合部４３とを嵌め合わせ、第一挟持部３７に設けられた挟持部の第二嵌合部４１と第二挟持部３８に設けられた挟持部の第四嵌合部４４とを嵌め合わせるという簡素な構成で、お尻用洗浄ノズル１４を挟持部３６に支持させることができる。また、第一挟持部３７と第二挟持部３８とが着脱自在であるため、第一挟持部３７と第二挟持部３８とを容易に一体にしたり別体にしたりすることができる。したがって、第一挟持部３７と第二挟持部３８とで被挟持部２４を容易に挟み込むことができる。また、第一挟持部３７と第二挟持部３８で挟み込まれた被挟持部２４を容易に取り外すことができる。したがって、挟持部３６への洗浄ノズル９の取り付け及び取り外しが容易にできる。これにより、お尻用洗浄ノズル１４の着脱作業の作業性を向上させることができる。
【００４５】
お尻用洗浄ノズル１４に洗浄ノズル支持部材１０を介して被挟持部２４が設けられ、挟持部支持部３９に挟持部３６が設けられているため、より一層組み付けが容易となる。また、被挟持部２４にラック部３１が形成されているため、部品点数の増加を抑制することができ、さらに、モータ４７に設けられた駆動ギア３４がラック部３１に噛み合うことで洗浄ノズル支持部材１０を前後方向に移動させることができる。
【００４６】
（第二の実施形態）
次に、第二の実施形態の衛生洗浄装置１について図８及び図９を参照しながら説明する。第二の実施形態の衛生洗浄装置１は、洗浄ノズル９として、第一の形態を採る洗浄ノズル１３と異なる形態である第二の形態を採る洗浄ノズル４８を備える。第二の形態を採るノズル４８は、使用者のそれぞれ異なる局部である、使用者のお尻（第一の局部）と女性局部（第二の局部）を洗浄する。なお、第二の実施形態については、衛生洗浄装置１に備えられる洗浄ノズル９の形態が異なるだけであるため、第一の実施形態からの変更点のみを説明し、同様の部分については説明を省略する。また、同様の部品については同じ符号を付して説明する。
【００４７】
図８に示すように、第二の形態を採る洗浄ノズル４８は、お尻を洗浄するお尻用洗浄ノズル４９と女性局部を洗浄する女性局部用洗浄ノズル５０を備える。
【００４８】
第二の実施形態のお尻用洗浄ノズル４９は、第一の実施形態のお尻用洗浄ノズル１４と同様の構造であり、図８に示すように第二の洗浄ノズルシリンダ５１と第二のノズル５２を備える。
【００４９】
図９に示すように、第二の洗浄ノズルシリンダ５１は、中空筒状である。また、第二の洗浄ノズルシリンダ５１の前端部は開口され、第二の洗浄ノズルシリンダ５１の後端部には、流路切替装置の第一の排出口と接続されて第二の洗浄ノズルシリンダ５１に温水が供給される図８の第二の給水口５３が設けられる。図９に示すように、第二の洗浄ノズルシリンダ５１の外周面における上端側には、第五凸部５４及び第六凸部５５が形成される。また、第二の洗浄ノズルシリンダ５１の外周面における下端側には、第七凸部５６及び第八凸部５７が形成される。第五凸部５４はノズル支持部２３の第一凹部１８と、第六凸部５５はノズル支持部２３の第二凹部２７と、第七凸部５６はノズル支持部２３の第三凹部２８と、第八凸部５７はノズル支持部２３の第四凹部２９とに、それぞれ嵌合可能とされている。
【００５０】
図８の第二のノズル５２は、中空筒状である。第二のノズル５２の後端部は開口されており、第二のノズル５２の前端部は閉口されている。第二のノズル５２の前方上部には、第二の吐出口５８が形成される。第二の洗浄ノズルシリンダ５１の前端部の開口部分の形状と第二のノズル５２の後端部分の形状は略同一であり、第二のノズル５２が第二の洗浄ノズルシリンダ５１に対して前後に移動可能となるように第二の洗浄ノズルシリンダ５１の開口部分に第二のノズル５２の開口側から第二のノズル５２が収容される。お尻用洗浄ノズル４９は、第二の給水口５３から温水を供給されて、第二の吐出口５８から温水を吐出する。お尻用洗浄ノズル４９は、第一の実施形態と同様な公知の作動方法で第二のノズル５２が第二の洗浄ノズルシリンダ５２に対して前後に移動可能な構成となっている。
【００５１】
女性局部用洗浄ノズル５０は、お尻用洗浄ノズル４９と同様な構造であり、第三の洗浄ノズルシリンダ５９と第三のノズル６０を備える。第三の洗浄ノズルシリンダ５９は中空筒状である。また、第三の洗浄ノズルシリンダ５９の前端部は開口され、第三の洗浄ノズルシリンダ５９の後端部には、流路切替装置の第二の排出口と接続され、第三の洗浄ノズルシリンダ５９に温水が供給される第三の給水口６１が形成される。なお、第三の洗浄ノズルシリンダ５９の外周面には凸部は形成されていない。
【００５２】
第三のノズル６０は、中空筒状である。第三のノズル６０の後端部は開口されており、第三のノズル６０の前端部は閉口されている。第三のノズル６０の前方上部には、第三の吐出口６２が形成される。第三の洗浄ノズルシリンダ５９の前端部の開口部分の形状と第三のノズル６０の後端部分の形状は略同一であり、第三のノズル６０が第三の洗浄ノズルシリンダ５９に対して前後に移動可能となるように第三の洗浄ノズルシリンダ５９の開口部分に第三のノズル６０の開口側から第三のノズル６０が収容される。女性局部用洗浄ノズル５０は、前述の流路切替装置の第二の排出口と接続され、第三の給水口６１から温水を供給されて、第三の吐出口６２から温水を吐出する。女性局部用洗浄ノズル５０もお尻用洗浄ノズル４９と同様に、第三のノズル６０が第三の洗浄ノズルシリンダ５９に対して前後に移動可能な構成となっている。
【００５３】
第二の実施形態の洗浄ノズル９は、お尻用洗浄ノズル４９の右側部分と女性局部用洗浄ノズル５０の左側部分とが連結部材６３を介して一体的に連結される。第二の実施形態においては、連結部材６３によってお尻用洗浄ノズル４９と女性局部用洗浄ノズル５０とが連結されているが、連結部材６３を介さずにお尻用洗浄ノズル４９の第二の洗浄ノズルシリンダ５１と女性局部用洗浄ノズル５０の第三の洗浄ノズルシリンダ５９が直接連結されていてもよい。
【００５４】
このように構成された第二の実施形態の洗浄ノズル９のお尻用洗浄ノズル４９の第二の洗浄ノズルシリンダ５１に設けられた第五凸部５４、第六凸部５５、第七凸部５６及び第八凸部５７がそれぞれ洗浄ノズル支持部材１０のノズル支持部２３に設けられた第一凹部２６、第二凹部２７、第三凹部２８及び第四凹部２９に嵌め合わされるように、洗浄ノズル支持部材１０の右側からお尻用洗浄ノズル４９及び女性局部用洗浄ノズル５０を左方向へ押圧して、洗浄ノズル支持部材１０の開口を広げるように洗浄ノズル支持部材１０を弾性変形させながら、お尻用洗浄ノズル４９をノズル支持部２３へ嵌め込む。このようにして、お尻用洗浄ノズル４９及び女性局部用洗浄ノズル５０が洗浄ノズル支持部材１０に支持される。
【００５５】
また、洗浄ノズル支持部材１０に取り付けられたお尻用洗浄ノズル４９及び女性局部用洗浄ノズル５０を取り外すときには、お尻用洗浄ノズル４９の第五凸部５４、第六凸部５５、第七凸部５６及び第八凸部５７を洗浄ノズル支持部材１０の第一凹部２６、第二凹部２７、第三凹部２８及び第四凹部２９から嵌め合いを外すようにして、洗浄ノズル支持部材１０の開口を広げるように洗浄ノズル支持部材１０を弾性変形させながら、お尻用洗浄ノズル４９及び女性局部用洗浄ノズル５０を右方向へ移動させて洗浄ノズル支持部材１０からお尻用洗浄ノズル４９及び女性局部洗浄ノズル５０を取り外す。このように、お尻用洗浄ノズル４９及び女性局部用洗浄ノズル５０が洗浄ノズル支持部材１０に対して着脱自在となっている。
【００５６】
そして、第二の実施形態においては、お尻用洗浄ノズル４９及び女性局部用洗浄ノズル５０が一体で構成されているため、モータ４７の駆動ギア３４の回転によって従動ギア３５に動力が伝達されると、お尻用洗浄ノズル４９及び女性局部用洗浄ノズル５０が一体となって前後方向に移動する。
【００５７】
このように、第二の実施形態においては、お尻用洗浄ノズル４９及び女性局部用洗浄ノズル５０が洗浄ノズル９として衛生洗浄装置１に設けられることで、お尻だけでなく、女性局部も洗浄することができる。
【００５８】
また、お尻用洗浄ノズル４９に形成された第五凸部５４、第六凸部５５、第七凸部５６及び第八凸部５７と洗浄ノズル支持部材１０の第一凹部２６、第二凹部２７、第三凹部２８及び第四凹部２９とをそれぞれ嵌め合わせたり、嵌め合いを外したりという容易な作業によって、洗浄ノズル支持部材１０に対してお尻用洗浄ノズル４９及び女性局部用洗浄ノズル５０を一括で取り付けたり、取り外したりすることができる、すなわち一括で着脱することができる。そのため、二本のノズルが設けられていても、一本のノズルが設けられている場合とほぼ同じ作業時間で洗浄ノズル支持部材１０に対して洗浄ノズル９の着脱ができる。
【００５９】
また、第一凹部２６、第二凹部２７、第三凹部２８及び第四凹部２９にそれぞれ嵌め合わされる第五凸部５４、第六凸部５５、第七凸部５６及び第八凸部５７をお尻用洗浄ノズル４９に形成するという簡素な構成で、洗浄ノズル支持部材１０は、お尻用洗浄ノズル４９及び女性局部用洗浄ノズル５０の両方を支持できる。
【００６０】
また、モータ４７や洗浄ノズル支持部材１０等を増設することなく、お尻用洗浄ノズル４９及び女性局部用洗浄ノズル５０を前後に移動させることができる。従って、大幅なコストアップを抑制できる。さらに、モータ４７を制御する制御装置の制御プログラムに関しては、モータ４７を増設する場合に比べて簡素にすることができる。
【００６１】
また、第一の実施形態と第二の実施形態は、洗浄ノズル９以外の基本構成は同じであるため、第一の実施形態で取り付けた洗浄ノズル９又は第一の実施形態とは異なる形態である第二の実施形態で取り付けた洗浄ノズル９のどちらかを選択して洗浄ノズル支持部材１０に取り付けることが可能となる。従って、使用者の好みに合わせて、異なった形態の洗浄ノズル９への交換ができる。また、大幅な構造の変更を伴うことなく、搭載された洗浄ノズル９の形態が異なる機種を提供することができる。
【００６２】
また、図示は省略するが、第二の実施形態の変形例として、お尻用洗浄ノズル４９及び女性局部用洗浄ノズル５０とが別体である洗浄ノズル９を備えた衛生洗浄装置１において、衛生洗浄装置１は、お尻用洗浄ノズル４９と女性局部用洗浄ノズル５０とのそれぞれに凸部設けて、お尻用洗浄ノズル４９と女性局部用洗浄ノズル５０とを別々に嵌め込む洗浄ノズル支持部材１０を備える構成としても良い。このとき、洗浄ノズル支持部材１０にノズル支持部２３を二つ設けても良い。このような構成とすることで、一方のノズルのみを取り外したい場合に好適となる。
【００６３】
また、別の変形例として、お尻用洗浄ノズル４９及び女性局部用洗浄ノズル５０のそれぞれに対して、洗浄ノズル支持部材１０、挟持部３６及び駆動装置１１等の部材を設けても良い。このような構成とすることで、お尻用洗浄ノズル４９と女性局部用洗浄ノズル５０をそれぞれ前後に移動することができる。
【００６４】
上記した実施形態において、便座３及びケーシング５は樹脂製としたが、他の材質であっても良い。また、お尻を洗浄するお尻用洗浄ノズル４９と女性局部を洗浄する女性局部用洗浄ノズル５０の二本が設けられた例を示したが、この二本の組み合せは同一の局部を洗浄するノズル同士であっても良い。また、お尻用洗浄ノズル１４、４９のみに凸形状を形成した例を示したが、女性局部用洗浄ノズル５０のみに凸形状を形成して、女性局部用洗浄ノズル５０を洗浄ノズル支持部材１０のノズル支持部２３に嵌め込む構成としてもよい。また、凸形状を洗浄ノズル支持部材１０に形成して、凹形状を洗浄ノズル９に形成してもよい。また、凸形状及び凹形状の数や形状は、必要に応じて適宜変更してもよい。また、この凹形状は、貫通孔としても良い。
【００６５】
また、挟持部の第一嵌合部４０、挟持部の第二嵌合部４１、挟持部の第三嵌合部４３及び挟持部の第四嵌合部４４の構造は、必要に応じて適宜変更しても良い。例えば、挟持部の第一嵌合部４０及び挟持部の第二嵌合部４１を凸形状として、挟持部の第三嵌合部４３及び挟持部の第四嵌合部４４を凹形状として、凸形状と凹形状を嵌め合せるような構造としても良い。また、この凸形状と凹形状の組み合わせは適宜変更しても良い。
【００６６】
また、本実施の形態においては、お尻洗浄ノズル１４に被狭持部２４が設けられ、狭持部支持部３９に狭持部３６を設ける構成としたが、お尻洗浄ノズル１４に狭持部３６を設け、支持部３９に被狭持部２４を設ける構成としても良い。
【００６７】
このように、上記した実施形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００６８】
１…衛生洗浄装置
９…洗浄ノズル
３９…挟持部支持部(支持部材)
３６…挟持部
２４…被挟持部
３７…第一挟持部
３８…第二挟持部
４０…挟持部の第一嵌合部（第一嵌合部）
４１…挟持部の第二嵌合部（第二嵌合部）
４３…挟持部の第三嵌合部（第三嵌合部）
４４…挟持部の第四嵌合部（第四嵌合部）
４７…モータ
３４…駆動ギア
３５…従動ギア
３１…ラック部
【図１】
2017172200.tif 000003
【図２】
2017172200.tif 000004
【図３】
2017172200.tif 000005
【図４】
2017172200.tif 000006
【図５】
2017172200.tif 000007
【図６】
2017172200.tif 000008
【図７】
2017172200.tif 000009
【図８】
2017172200.tif 000010
【図９】
2017172200.tif 000011